(57)【要約】【課題】  従前の、機織機は筐体が大きく場所を取り、機織作業の際、機構が足踏み方式が殆どで、足踏み作業からの、騒音、振動が発生し、周囲を憚る必要があり、無責任に織機を導入出来ない、又、価格も高価で、機織を手軽に楽しむ事は多々難しい物で、趣味として織りを希望する方々の足枷でもあった。【解決手段】  機織は足踏みで行うと言う観念を覆し、指先ののみの、操作、動作で、織物の製作が出来る指操式機織機の開発で、足踏み織機の様な下部機構が無く、図１の、フレーム５の上部構造のみで機織が出来る事から、機織機を小型で軽量化も達成し、更に、走行枠をカーボンファイバープレート構成で、非常に軽量、堅牢、故に操作での、騒音、振動の問題も解決、いったてシンプル機構で有るが、走行枠の枚数に制約が無く、フリーオーダーを可能で、表現性にも長け、価格に於いても、非常に、リーズナブルに希望者に提供できる発案を具現化できた事で、従来の機織機に纏わる数々の問題の全てを解決し、優位な特徴を有する、指操式機織機である。【選択図】図４
2019137959.tif 000002
【特許請求の範囲】
【請求項１】
堅牢な機台に、織られる縦糸を巻き取る巻き台、織られた織物を巻き取る巻き取り台を設け、双方巻き台の中央に、経糸を操作する走行を保持する走行枠を二枚以上位置させ、巻き取り台側に筬を位置させ、走行に経糸を通過させ、次に筬を通過し、織り巻き台に経糸を結びつけ、走行枠を上に上昇させると、経糸間に開口が生じる、この開口に、横糸を通過させ、走行枠を元の位置降下させ、筬で横糸を打ち込む。
上記、縦糸を動作させる、走行が懸架された走行枠を上下させる、走行枠上下機構を織機中央上部に設け、この走行枠上下機構を操作する、走行枠上下機構操作箱を、走行枠上下機構箱右に連動操作させる為に連結結合し、双方を一つの構成体とし、双方の機能で、経糸に開口を生じさせ織物を製作する、指操式機織機では、走行枠を水平に上下させる為に走行枠には、左右二本のワイヤーを設け、左右同時に上方に引く事で走行枠は水平に上昇する、走行枠の二本のワイヤーを走行操作箱に導き、操作箱を通過したワイヤーに指掛けリングを固定し、リングを引く事で走行枠は上昇し開口運動する、開口を維持する為に、走行枠操作箱前面のフロントパネルの、指掛けリング固定つばに、指掛けリングを掛ける事で開口は維持される、指操式機織機。
【請求項２】
請求項１の、指操式機織機で使用するワイヤーに、ワイヤー長微調整器を装備した、指操式機織機。
【請求項３】
請求項２の、管理されたワイヤーであるが、指操式機織機内部で生じる、ワイヤーの、左右の長さを解消する、ワイヤー反転プーリーを設けた、指操式機織機。
【請求項４】
請求項１の走行枠操作で、指掛けリングが必ず水平に元の位置に収まる、指掛けリング水平位置確保の、指掛けリング水平維持上下ブロックを設けた、指操式織機。
【請求項５】
カーボンファイバープレートによる走行枠の、指操式織機。
【請求項６】
機織り作業に於いての照明装置を設けた、指操式機織機。
【発明の詳細な説明】
【技術分野】
【０００１】  機織作業において、従来のの機織機は、足踏み操作で、機織機構を操作して、機織作業を行う物が殆んどであるが、本指操式機織機は、指の動作、操作のみで織物が出来る、機織機を開発する事に関するもの。
【背景技術】
【０００２】  従前の機織機は、筐体が大きく、広い設置場所が必要で、容易に導入が出来ず、筐体の大きさから、重量もかなりの物が殆んどである、且つ、構造的制約から表現性の低い、平織りしか出来ない機織機が大概で、表現性豊かな、綾織、朱子織も可能にするには、従前の機織機では構造的に容易ではない、又、従前の機織機は走行の開口を作るために縦糸の開口作業は全て、足踏み機構で操作するので、動作からの騒音が生じ、周辺への配慮が必要で、又、一部の機織機は構造から故障等が発生しやすく、構造、機構から、一般人には修理、改修が困難と、価格の高価な物が多く、機織を希望しても、様々な問題から、気楽に、機織機での織物に挑戦する事が出来なかった。
【先行技術文献】
【特許文献】
【０００３】
【特許文献１】特許第４９１５４９５号
【特許文献２】特許第５３６４３４１号
【特許文献３】特許第４９９２１９３号
【発明の概要】
【発明が解決しようとしている課題】
【０００４】  従来の旧態然とした，足踏み式機織機は筐体が大きく、非常に場所を取り、故に、重量も相当な物で取り扱いが不便、最大の欠点は、足踏み式構造で走行枠の上下動で開口を作る作業の際の床に伝わる振動で、周囲に発する騒音は大きく、使用、導入に際し、周辺への配慮が必要となり、不便この上ない、この足踏み式である事が、機織機底部に足踏み機構が存在する事が筐体が大きく成ってしまう源であり、又、足踏み式機織機は、機構的に表現性豊かな多走行織機を製作しようとすると、構造が非常に複雑となり、筐体の更なる大きさに繋がり、且つ、故障、不具合の発生が多くなり、従前の足踏み式、機織機は発展性に乏しい、更に、価格が高価である欠点もある。
【課題を解決するための手段】
【０００５】  指操式機織機は、開口を作る走行の上下機構を発想の転換で、機織機に要求される、必要機能、機構の全てを、機織機の機構を下部作る固定観念を覆し、指の操作のみで、機機織に要求される、全ての操作が出来る、、機能、機構を機織機上部に儲ける事で、操作性が非常に良好、且つ、機織機の下部に一切の構造物が無い事から、非常にコンパクトになり、旧態然の観念的足踏み式の機織機でなく、指の操作、動作だけの簡便な動作で、多走行の表現性の高い、機織機の開口作業が成立する、指操式機織機構造を具現化すること事で、構造が、明解、簡潔な構造、機構で高機能であるのに、使用部材の寿命から発生する不具合しか想像出来いない、信頼性の高い、故障の心配も皆無に近く、信頼生は抜群である、以上の事から、従前の機織機に纏わる諸問題の全てを解決した、指操式機織機。
【発明の効果】
【０００６】  本指操式機織機は、機織機下部に一切の機構、構造物が無く、機織、機構、構造物が、機織機上部にしかないので、非常にコンパクトであるので、軽量な事から、取り回しが容易で、指操式機織機は、構造が大変シンプルであるにも拘わらず、綾織、平織、朱子の三大組織が、完全に織れ、簡単、簡潔な構造である事から、安価に製作が出来が、機織機に要求される、全ての機能は備えている、以上の事から、機織機を希望する方々に、低価格な機織機を、提供する事を可能とし、発生するであろう、機織作業での事故に於いても、通常の機織機には、多数の紐、ロープ、ワイヤーを使用しているが、作業と共に、全ての結びの解れ、緩み、最悪、諸々が脱落等の、少なからずの事故が、必ず生じる、指操式機織機に置いては、図２の如く、個々の機能を満足するように、事前加工されたワイヤーを使用し、ワイヤーの緩み、弛み、長さの不都合等を、完全管理が出来る、長さ微調整器と、ワイヤーの管理として、固定には、簡便に、結合、解除の出来る器を用いる事で、必ず問題の生じる、結ぶ、不安な繋ぐと言う行為を排除した事で、ワイヤーに纏わる事故は完全に封じ、故障、寿命に於いては、簡潔な機織機で、更に、走行枠部材にも、カーボンファイバープレートを主体に使用したので、非常に軽く、堅牢な走行枠が出来、指操作の軽負担から、軽快な織り作業を可能とした。
以上使用部材の寿命から発生するするであろう、不具合しか想定できず、機織機を希望する方々に、不安無く、更に、足踏みから生じる騒音、振動が無く、静粛な機機作業が可能で、周辺への、配慮を心配する必要が無い、指操式機織機。
【図面の簡単な説明】
【０００７】
【図１】指操式織機の側面図。
【図２】指操式機織機に使用する、事前加工された、各ワイヤーの図。
【図３】走行枠上下機構を、操作する操作箱の内部の図と、その側面の図。
【図４】指操操作箱で、指掛リングを、操作した時の状況を表した図。
【図５】織機上部の走行枠上下機構の上部からの内部と、筬の架設された前面からの図。
【図６】操作される走行枠と走行、走行に掛けられた糸を表した図。
【図７】走行枠が操作された時の図。
【図８】走行枠の上下動作した際の状況と側面図。
【図９】織り作業用ＬＥＤランプの構造と、設置状況の図。
【発明を実施するための形態】
【０００８】  本発明を具現化するのには、まず、堅牢な部材で出来た、図１の５の如くフレームを作り、全ての機織り機の機構を設ける、図１の如く、５のフレーム上に、６の帆立板を左右に二本設ける、左右の６は、走行枠上下機構の機構箱を構成する板である、この６の帆立板に、図１の如く、７の走行枠上下機構箱を形成する板を適宜ビス等で、図１如く６の上部に確実に固定する、７の板に事前加工されている穴に、図５の如く４３のプーリーシャフトを個々差込、このシャフトに、４４のワイヤーガイドプーリーを必要数、図５走行枠上下機構箱上部図の如く適宜配置する、次に４２の糸の暴れ予防のワイヤーガイドローラーも装着する、図５の如く、３８の走行枠を後の作業の為に、適宜仮止めし、走行枠を上下の動作を行うための、１６，１７のワイヤーを架設する、１６ワイヤーは走行枠左の４５のヒートンに１６のワイヤー先端に架設されている、１９で連結する、同じように、１７のワイヤーを、走行枠右の４５のヒートンに１９の結束で連結し（本発明の指操式機織機には、解け、緩みが、必ず生じる心配がある、結び行為を排除。）、確実に固定する、事前、個々のワイヤーに、予め図２のイラストの如く、１８のワイヤー長微調整器を事前加工しておく、このワイヤー長微調整器は、作業上、必ず発生するワイヤーの長さの違いから、生じる走行枠傾き、走行枠の高さ不揃い等の、不都合を解決出来る器で、サイズが、長さ１５ミリ、幅５ミリと些細な物であるが、本発明が成立する大切な存在である、以上、ワイヤー処理が済んだ、左の１６ワイヤーを上部の４１のプーリーに掛ける、次に右の１７ワイヤーも上の４４プーリーに掛けるが、図の如く、ワイヤーが反転する様に左の４０のプーリーに掛け、２３のワイヤーの１９でと束ねる、１６、１７の双方のワイヤーは１８のワイヤー微調整器の加工で、輪になって、この輪に架設されている５２のリングを介し、後に左右の二本のワイヤーを適宜纏めておき、後にワイヤー２３の５５の結束器で一本のワイヤーに換装する、このワイヤーを次の作業で、走行枠操作箱に導く、ワイヤー１６，１７を一本に換装する理由は、二本別々同時に、後の操作箱に導くと操作箱の中が煩雑になりワイヤーの動作の不都合、ワイヤーの脱落等の事故防止の為で、更に、１７のワイヤーを直接操作箱に導くと、１７のワイヤーに、１８のワイヤー長微調整調整器が使用できないのと、ワイヤーに無理が生じる為である、以上、ワイヤーを束ねる事で、個々のワイヤーの動きが同一に成り、スムース作業を確立する為である、この、ワイヤー反転方式、走行枠上下機構は本発明の一部を成す、走行枠は複数枚有るので、順次前記の作業を繰り返し、走行枠の傾きに注意しながら全ての作業が完了したら、もう一枚の７の板を作業面より機構を挟むように被せ、左右の６にビス等で確実に固定して走行枠上下機構は完成する、次に、走行操作箱８を、図１、の如く、６にビス等で固定する、８の走行操作箱の工作作業する、８の操作箱内部に、図３の如く、３２のワイヤーガイドプーリー、３４のワイヤーガイドローラー、３３のワイヤー脱落防止プーリー等を架設、固定するため、事前に、３５のプレートに個々に適応するボルトを、溶接にて鉛直に強固に接合し���おく、加工の済んだ、３５のプレートを、図３の如く、操作箱内部にビス当で固定し、１４プレートのボルトに各々のガイドプーリー、ガイドローラー、脱落防止ローラーを、装填するが、全てを装てんすると、後に図２の２３のワイヤーを装填出来ないので、内側のワイヤーから個々装填んしながら順序個々の部品を図３の如く配置、２３のワイヤーは、図３の操作箱前面から、図３の２フロントパネルを跨ぎ図３の２４の指掛けリング停止板の５０のワイヤー貫通穴に、図２の２３の５５を差し込み、操作箱内の３３ワイヤーガードローラー経て、３２のワイヤガードプリーと３３のワイヤー脱落防止ローラーの間を通過させ、３４のワイヤーガードローラーを経て、走行枠上下機構箱に導き、とりあえず纏められたワイヤー１６、１７双方の５２のワイヤー保護リングを介しワイヤー２３の５５のワイヤー結束器で結合し走行枠左右のワイヤーと、走行枠操作指掛けリングから、ワイヤー２３、ワイヤー１６，１７が一つのワイヤーとして成立し、走行枠を水平に上下する事が出来る、順次同じ手順で全てのワイヤーを装填し、全ての作業が完了したら、上部より３５の上部部品固定板を被せ、貫通してきたボルトにナットで上部板を固定し走行枠操作箱は完成する、操作箱が完成、次の作業として、指賭けリングでワイヤーを引きつつ、走行枠の必要分の上昇を確認し、走行枠の傾きと設計の規定の高さに成るよう再度、個々の１８ワイヤー長微調整器で整え、本発明の指操式機織機は完成である。
【０００９】  本指操式機織機での織り作業は、綾の出来た、整経された縦糸を準備し、図１の１５の糸巻き取りに綾を崩さないように、巻き取る、巻取りが完了したら、綾で糸を確認しながら走行枠の走行に、走行通しで順次糸を走行に通すが、綾織、朱子の時は、その組織になるように走行へ糸通しに工夫する、走行への糸通が完了したら、次に、筬通しで筬に順次糸を全て通す、全ての糸通しが完了したら、図１の１４の織り巻きに、適宜、縦糸を結び止め、織り作業の準備は整う、実際の織り作業は、先ず、１４の織り巻きを回転させて、縦糸に適度のテンションを与える、テンションが緩いと、走行の上下動に支障が生じるので、糸の張りには注意が必要である、ここで、走行枠操作箱の指掛けリングの希望する、走行枠に通ずるリングに指を差し入れ、リングを引き、図４の２８のフロントパネルに、５１の様に成るように、指賭けリングを図３の２５の切り欠上部から、溝にワイヤーを通し指を離すと、図４状態で引かれたワイヤーは１０の指掛けリングが固定される事で、希望の走行枠は、上昇状態を維持するので縦糸に開口が出来る、開口とは、図８の４８の位置に生じる糸との隙間で、この隙間に横糸を通し、図１の１１の打ち込み筬枠に固定された、１２の筬で横糸を適宜打ち込む事で、織り組織が形成される事で、織物が出来る、打ち込みが済んだら、５１状態の指か掛けリングに再び指を差込、手前に引き上げ、指を離すと、走行枠の重さと、糸の張りの力から、指掛けリングと共にワイヤーは自然に元の位置に戻る、戻る事で走行枠下がると共に糸も、下がり戻り、下がった所で図１の１２の筬で適宜打ち込む事で織りの組織が生まれ織物が生じる、後は順次、希望する長さに成るまで繰り返せば長尺の反物が完成できる、走行操作であるが、図８の４８如くに開口を作るが、走行を１、２−２、３−３、４−４、１と繰り返すと綾織り、１、３−２、４と繰り返しで平織り、ランダムに、縦糸を一本選択して織ると朱子織りと成るが、完全な朱子織りは、５枚以上の走行でなければ形成しない、尚、図３の２９、２９の傾斜ブロックは、指掛けリングを放した時、指賭けリングが水平に成らずに、鉛直、斜めとなると次の走行引き上げ時、指がスムーズ入らず、作業に支障をきたすので、このブロックの斜めの勾配からの抵抗で、リングは、強制的に水平になる回転運動が生じ、リングは必ず水平に戻り、支障の無い織り作業を継続できる、この２９、２９のブロックの存在も、本発明の要である、図３，４のフロントパネル２８を固定している２７の指ボルトを、指で回転して抜くと、パネルは取りはず事が出来る、外す事で、適宜用意した、厚みの違うフロントパネルと換装出来、換装で開口の大きさを可変できる機能のためで、この機能で交換すれば開口をコントロール出来る、パネルは２７の指ボルトで締め付け元に戻す、この方式はは画期的な事で、開口を織り作業の最中に変化出来るのは、唯一の機能で、本発明一つである、個々を総合させる事で、非常に優れた機能豊でコンパクト、価格もリーズナブルであるのに、高機能な機織機を提供出来る、指操式機織機である。
【符号の説明】
【００１０】  １  走行
２  走行
３  走行
４  走行
５  織機フレーム
６  走行上下機構箱形成帆立板
７  走行枠上下機構箱形成する板
８  走行枠操作箱
９  フロントパネル
１０  走行枠操作選択の指賭けリング
１１  打ち込み筬枠
１２  筬
１３  縦糸
１４  織り巻き
１５  縦糸巻取り
１６  走行枠操作左ワイヤー
１７  走行枠操作右ワイヤー
１８  ワイヤー長微調整器
１９  走行枠ヒートン連結器
２０  ワイヤー長微調節器の形態
２１  ワイヤークランプ、リング
２２  走行枠ヒートン、走行枠上下ワイヤー連結器
２３  ワイヤー操作、指掛けリングワイヤー
２４  指掛けリング停止板
２５  走行操作指掛けワイヤー通か切り欠き
２６  フロントパネル、指掛けリング架かり口
２７  フロントパネル着脱指ボルト
２８  フロントパネル
２９  指掛けリング回転、上下傾斜ブロック
３０  フロントパネル上部、指掛けリング固定鍔
３１  走行上下操作機構構成部品取り付けプレート固定ネジ
３２  走行操作指掛けリングワイヤーガイド、プーリー
３３  指掛けリングワイヤー、脱落防止ローラー
３４  指掛けリングワイヤー安定ローラー
３５  走行上下操作機構構成部品、取り付けプレート
３６  走行上下操作機構構成上部部品安定、押さえ上部プレート
３７  走行
３８  走行枠
３９  走行保持板
４０  右走行枠ワイヤー反転プーリー
４１  走行枠上下左ワイヤー、ワイヤーガイドプーリー
４２  ワイヤー暴れ防止ローラー
４３  走行枠上下ワイヤー、ガイドプーリー取り付けシャフト
４４  走行枠上下右ワイヤー、ワイヤーガイドプーリー
４５  走行枠上部ワイヤー架設、左右ヒートン
４６  走行枠静止状態
４７  走行起動状態
４８  開口
４９  走行枠、起動状態
５０  指掛け停止板、指賭けワイヤー貫通口
５１  指掛けリング停止状態
５２  ワイヤー保護リング
５３  指掛けリング小Ｒ
５４  指掛けリング大Ｒ
５５  走行枠左右ワイヤー連結、結束器
５６  スプリング懸架用ヒートン
５７  スプリングをヒートンに架設する器
５８  走行枠懸架スプリング
５９  ＬＥＤ照明装置電源、ＯＮ、ＯＦＦ、ＳＷ
６０  スプリング懸架シャフト
６１  ＬＥＤランプ。
６２  ＬＥＤランプ、給配電プリント基盤
６３  照明装置内部反射板
６４  照明装置前面、光拡散、散光板
６５  縦糸巻き取り、帆立板
６６  織り巻き取り、帆立板
６７  前後補強板
６８  前後補強板
６９  左右連結棒
７０  左右連結棒
７１  織物滑り板
７２  縦糸滑り板
７３  左右連結棒、臍、貫通臍穴
７４  左右連結棒、臍、貫通臍穴
７５  織り巻取り軸
７６  縦糸巻取り軸
７７  縦糸巻取り軸受けガイド口
７８  軸止め
【図１】
2019137959.tif 000003
【図２】
2019137959.tif 000004
【図３】
2019137959.tif 000005
【図４】
2019137959.tif 000006
【図５】
2019137959.tif 000007
【図６】
2019137959.tif 000008
【図７】
2019137959.tif 000009
【図８】
2019137959.tif 000010
【図９】
2019137959.tif 000011